(57)【特許請求の範囲】
【請求項１】
屋根部と窓部と水切部材と地板を備えた出窓において、
前記水切部材は縦部と下横部で略Ｌ字形状で、その縦部に、窓開口部の下縁上面に固着される躯体取付横片を有し、
この水切部材の縦部における躯体取付横片よりも上部の室内側面に、地板支持金具が固着具で室内側に向けて取付けられ、
前記縦部における室外側面上部に、補強ブラケットが固着具で室外側に向けて取付けられ、この補強ブラケットが窓部の前部下枠に連結してあり、
前記地板支持金具が、前記窓開口部の下縁上面に固着具で固着され、この地板支持金具と地板室内側寄り下部が係合連結し、
前記地板支持金具、補強ブラケットを水切部材の縦部に取付ける固着具が共通であることを特徴とする出窓。
【発明の詳細な説明】
【０００１】
【発明の属する技術分野】
本発明は、建物躯体の窓開口部に取付けられる出窓に関する。
【０００２】
【従来の技術】
平面形状が略台形状の窓部と、屋根部を備えた出窓が知られている。
この出窓は建物躯体の窓開口部に沿った室外側面に取付けられ、建物躯体の室外側面よりも室外側に突出するので、窓部が垂れ下がらないように補強ブラケットで補強している。
例えば、窓開口部を形成する窓台室外側面に取付けた水切部材と窓部を形成する前部下枠に亘って補強ブラケットを連結している。
【０００３】
従来の出窓においては、前記窓部を形成する前部下枠と左右の袖部下枠で平面形状が略台形状の空間部に地板を取付けている。
例えば、特開平１０−８８９１２号公報に示すように、補強ブラケットを水切部材よりも室内側に突出する長さで、その室内側部に引掛部を有する形状とする。地板の室内側部分に係合溝を形成する。この地板の係合溝を補強ブラケットの引掛部に係合して地板を取付けている。
このように地板を取付ければ、地板の室内側部が持ち上ることを防止できる。
【０００４】
【発明が解決しようとする課題】
前述のように地板を取付けた出窓は次のような問題点を有する。
補強ブラケットは窓部の垂れ下りを防止するものであるから上下に湾曲変形しないように上下寸法が大きな断面形状である。
このために、前述のように補強ブラケットを水切部材よりも室内側に突出させるには、その補強ブラケットの長手方向一端部分を切欠き加工して上下寸法を小さくすると共に、室内側部に引掛部を加工するので、補強ブラケットの加工が面倒である。
しかも、水切部材の上縁部分を切欠き加工し、その切欠き部に補強ブラケットの切欠き部分を嵌入するので、水切部材の加工が面倒である。
【０００５】
そこで、本発明は前述の課題を解決できるようにした出窓を提供することを目的とする。
【０００６】
【課題を解決するための手段】
本発明は、屋根部と窓部と水切部材と地板を備えた出窓において、
前記水切部材は縦部と下横部で略Ｌ字形状で、その縦部に、窓開口部の下縁上面に固着される躯体取付横片を有し、
この水切部材の縦部における躯体取付横片よりも上部の室内側面に、地板支持金具が固着具で室内側に向けて取付けられ、
前記縦部における室外側面上部に、補強ブラケットが固着具で室外側に向けて取付けられ、この補強ブラケットが窓部の前部下枠に連結してあり、
前記地板支持金具が、前記窓開口部の下縁上面に固着具で固着され、この地板支持金具と地板室内側寄り下部が係合連結し、
前記地板支持金具、補強ブラケットを水切部材の縦部に取付ける固着具が共通であることを特徴とする出窓である。
【０００７】
【作  用】
本発明によれば、地板支持金具と地板室内側下部が係合連結していることで、地板の室内側部の持ち上りを防止できる。
しかも、水切部材は、その躯体取付横片が窓開口部の下縁上面に固着されるし、地板支持金具は窓開口部の下縁上面に固着されるので、その地板支持金具は強固に固着され、地板の室内側部の持ち上りを確実に防止できる。
また、水切部材の縦部における躯体取付片よりも上部の室内側面に地板支持金具を固着具で固着しただけであり、水切部材を切欠き加工等する必要がない。
また、水切部材の縦部における室外側面上部に補強ブラケットを取付け、その補強ブラケットが窓部の前部下枠に連結されているから、窓部の垂れ下りを防止できるし、その補強ブラケットを特別な形状とする必要がない。
【００１０】
【発明の実施の形態】
図１に示すように、出窓１は屋根部２と窓部３を備え、窓部３は左右の取付縦枠４と左右の方立５と左右の袖部上枠６と左右の袖部下枠７と前部上枠８と前部下枠９とにより左右の袖部枠部１０と前部枠部１１を有する窓枠体１２を備え、各枠部にパネル体１３がそれぞれ装着してある。
前記袖部枠部１０に装着したパネル体１３はペアガラスであり、前部枠部１１に装着したパネル体１３は障子戸となっている。
【００１１】
図２に示すように、左右の柱１４とまぐさ１５と窓台１６で建物躯体の窓開口部１７を形成している。
前記窓台１６の室外側面（窓開口部１７の下縁室外側部）に水切部材２０が取付けられる。
前記水切部材２０の長手方向中間部に一対の補強ブラケット２１が室外側に向けてそれぞれ固着してあると共に、一対の地板支持金具２２が室内側に向けて固着してある。
【００１２】
前記窓枠体１２と水切部材２０を連結し、前記取付縦枠４の下端部を水切部材２０の長手方向両端部に接すると共に、補強ブラケット２１を前部下枠９に嵌合する。
この状態で左右の取付縦枠４を左右の柱１４の室外側面に固着すると共に、水切部材２０を窓台１６の室外側面に固着する。
この後に各枠部にパネル１３を取付け、室内側から地板２３を取付ける。
出窓の組立手順は前述の手順に限るものではない。
【００１３】
次に各部材の形状を説明する。
前記前部下枠９は図３に示すように室内側下部に下内向凹部３０、室内側上部に上内向凹部３１を有し、室外側下部に内向鉤片３２を有する。
前記前部下枠９はアルミ等の金属製室外側部材９ａと金属製室内側部材９ｂを断熱材９ｃで連結した断熱形状で、金属製室外側部材９ａに下内向凹部３０と内向鉤片３２が設けてあり、金属製室内側部材９ｂに上内向凹部３１が設けてある。
【００１４】
前記水切部材２０は板状の縦部３３と室外側に向う板状の下横部３４で略Ｌ字形状で、縦部３３の上部寄りに躯体取付横片３５が室内側に向けて一体的に設けてある。
前記下横部３４の上面に略クランク形状の受け片３６が一体的に設けてあり、下横部３４の先端部に上向片３７、水切片３８が一体的に設けてある。これにより、窓枠体１２の枠材連結部などから浸入した雨水等は下横部３４に沿って流れて水切片３８から落下し、建物躯体外装材に向けて流れることを防止する。
前記躯体取付横片３５が窓台１６の上面（窓開口部１７の下縁上面）に木ねじなどで固着され、縦板３３の下端部が窓台１６の室外側面に木ねじなどで固着されて水切部材２０は窓台１６に取付けられる。
【００１５】
前記補強ブラケット２１は図４、図５に示すように矩形断面中空長尺材の室外側端部分を階段形状に切欠きし、室内側端に一対の取付片２１ａが横向きに一体的に設けたものである。その一対の取付片２１ａが水切部材２０の縦部３３の室外側面上部に固着され、室外側端部２１ｂが図３に示すように前部下枠９の下内向凹部３０に嵌合し、ビスで固着される。
【００１６】
前記地板支持金具２２は図４、図５に示すように一対の側面板２２ａと上面板２２ｂで下向きコ字形状で、その一対の側面板２２ａの室外側端部を折り曲げて一対の第１取付片４０を形成し、一対の側面板２２ａの下端部を折り曲げて第２取付片４１を形成していると共に、一対の側面板２２ａの室内側部を切欠きして残存した上面板２２ｂで引掛け部４２を形成している。
つまり、地板支持金具２２は板金加工品で、コスト安である。
【００１７】
前記第１取付片４０が水切部材２０の縦部３３室内側面上部に固着され、第２取付片４１が窓台１６の上面に固着されている。この地板支持金具２２は補強ブラケット２１と同一位置で一直線状に連続している。
前記第１取付片４０と補強ブラケット２１の取付片２１ａは共通の固着具、例えばリベット４３で水切部材２０の縦部３４にそれぞれ固着されている。
【００１８】
前記地板２３は図３に示すように前部下枠９の上内向凹部３１に嵌まり込む板厚で、その地板２３の室内側部下面に受け金具４４が固着してある。
この受け金具４４はクランク形状で、一端片４４ａが地板２３の室内側部下面に固着されて他端部４４ｂが地板支持金具２２の引掛け部４２の下面に係合連結され、地板２３の室内側部の持ち上りを防止する。
【００１９】
このようであるから、地板２３を室内側から室外側に向けて略水平に移動することで、受け金具４４の他端片４４ｂが地板支持金具２２の引掛け部４２に係合連結されるために、地板２３の取付け作業が容易である。
【００２０】
前記地板２３の前面端部は図３に示すように、前部下枠９の上内向凹部３１に嵌まり込み、ビス４５で固着してある。
前記袖部下枠７は図６に示すように室内側下部に下内向凹部５０、室内側上部に上内向凹部５１を有し、室外側下部に内向鉤片５２を有し、室内側面と下面は前部下枠９と同一である。
前記地板２３の側面端部は上内向凹部５１に嵌まり込んでビス５３で固着してある。
【００２１】
前記取付縦枠４は図７に示すように、金属製の室外側部材６０と樹脂製の室内側部材６１より成る。
その室外側部材６０は、中空形状の本体６２の室内寄り室外側部に躯体取付片６３、室内寄り室内側部に取付片６４を一体的に設けた形状である。
前記室内側部材６１は外側部材６５と内側部材６６で平面形状鉤形で、その外側部材６５が本体６２の室外側面６２ａに係合して取付けられ、内側部材６６が前記取付片６４に係合して取付けられる。これによって、金属製の室外側部材６０の室内側部分が樹脂製の室内側部材６１で被覆される。室内側部材６０が取付片６４で補強される。
【００２２】
前記室内側部材６１の内側部材６６は中空形状で、その中空部６６ａの長手方向両端部分（建物躯体に接する部分の中空部長手方向両端部分）に金属又は硬質樹脂の補強部材６７が接着剤や両面テープなどで取付けてある。このようであるから、樹脂製の室内側部材６１の長手方向両端部分が補強部材６７で補強され、窓枠体１２を取付ける時にその部分が建物躯体と衝突等しても割れたり、カケたりすることが防止される。補強部材６７はキャップ形状でも良い。
つまり、内側部材６６は樹脂製で中空形状であるから、その長手方向両端部（上下端部）が建物躯体に衝突すると割れたり、カケたりすることがあるので、補強部材６７を取付けている。この補強部材６７と前記取付片６４は同様の効果を有するので、どちらか一方のみを設けても良いし、両方設けても良い。
【００２３】
したがって、窓枠体１２を建物躯体に取付ける時に前述の内側部材６６の長手方向両端部が建物躯体等と衝突しないように注意深く、慎重に作業する必要がなく、窓枠体１２の取付け作業が容易である。
しかも、前記補強部材６７は内側部材６６の長手方向両端部に取付けてあり、その長手方向中間部は中空で空気層を有するので、断熱性が低下しない。
【００２４】
前記方立５は図７に示すように、金属製の室外側部材７０と樹脂製の室内側部材７１より成る。
前記室外側部材７０は横断面略三角形状で、Ｖ字形の２つの内側面７０ａを有する。
前記室内側部材７１は、中空の内側部材７２と一対の外側部材７３で平面形状略Ｖ字形状である。この一対の外側部材７３が室外側部材７０の一対の内側面７０ａに接し、かつ段付きビス７４で固着してある。
前記外側部材７３のビス挿通部分７３ａは略コ字状で、その外側部材７３と室外側部材７０の内側面７０ａの間に空気層７５を有し、この空気層７５に段付きビス７４が挿通している。
【００２５】
このようであるから、空気層７５によって室外側部材７０と室内側部材７１に熱が伝わることが低減し、断熱性が向上する。
しかも、段付きビス７４を用いているから外側部材７３のビス挿通部分がビス締付け力でつぶれることがない。
ビス止めなので室内側部材７１が破損しても容易に交換できる。
なお、段付ビスの代りに、ビスにワッシャーやスペーサを挿通しても良い。
【００２６】
前記取付縦枠４、方立５の金属製の室外側部材６０，７０の中空部には断熱材が詰め込み、又は充填してあり、その各中空部に空気が対流しないので、断熱性が向上する。
必要に応じて、前部上下枠８，９、袖部上下枠６，７の室外側部材の中空部に断熱材を詰め込み、または充填しても良い。
また、室内側部材の中空部に断熱材を詰め込み、または充填しても良い。
取付縦枠４、方立５、前部上下枠８，９、袖部上下枠６，７を、室内側部材と室外側材とで構成せず金属又は樹脂で一体成形して中空部を形成し、断熱材を詰め込み、または充填しても良い。
【００２７】
次に水切部材２０と取付縦枠４の連結構造について説明する。
前記水切部材２０は図８に示すように、縦部３３の長手方向両端部が切欠きされて下横部３４の端面３４ａが縦部３３の端面３３ａよりも若干（取付縦枠４の室外側部材６０の板厚分）側方に突出している。
躯体取付横片３５の長手方向両端部は、取付縦枠４の見付け寸法相当長さだけ切欠きされ、その端面３５ａは縦部３３の端面３３ａと前記取付縦枠４の見付け寸法相当分だけ離隔する。なお、縦部３３上端部に設けられたシール材装着部３３ｃも同様の長さに切欠きする。
前記受け片３６と上向片３７の長手方向両端部は取付縦枠４の見付け寸法相当長さだけ切欠きされている。
前記水切片３８の長手方向両端部は所定長さ切欠きされている。
前記取付縦枠４の室外側部材６０の取付片６４と室内側部材６１の内側部材６６の室内側部分の下端部は水切部材２０の縦部３３上下寸法相当長さだけ切欠きされている。
【００２８】
図７に示すように、取付縦枠４の室外側部材６０の本体６２室内側面６２ｂが縦部３３の室外側面３３ｂに接すると共に、本体６２の下端面６２ａと室内側部材６１の残存した部分の下端面が下横部３４の上面に接するように連結され、取付片６４の下面６４ａと内側部材６６の室内側部分が縦部３３の上部と干渉しない。
【００２９】
図３に示すように、水切部材２０の受け片３６に底板８０の室内側縁８０ａが嵌合され、かつ上向片３７に接して支持され、この底板８０の前面端縁８０ｂが前部下枠９の下内向凹部３０を形成する内向突片３０ａの下面にビス８１で固着され、底板８０の左右の側面端縁８０ｃが図６に示すように袖部下枠７の下内向凹部５０を形成する内向突片５０ａの下面にビス８２で固着してある。
前記底板８０は図７に仮想線で示すように平面台形状で、その前面端縁８０ｂと側面端縁８０ｃのコーナー部は方立５の室外側部材７０の室内側部分に合せてＶ字形状としてある。
【００３０】
前記底板８０と前面下枠９と袖部下枠７と水切り部材２０と地板２３で空間部を形成し、この空間部に断熱材（図示せず）か設けてある。
【００３１】
次に台輪の取付けについて説明する。
図９に示すように、窓枠体１２の下部に台輪９０が取付けてある。
この台輪９０は袖部下枠７の下部に取付けた袖部台輪９１と、前面下枠９の下部に取付けた前部台輪９２を有する。
【００３２】
前記袖部台輪９１と前部台輪９２は図１０と図１１に示すように断面形状がほぼ内向きのコ字状で、内側下縦片９１ａ，９２ａに鉤片９３が一体的に設けられて上向凹部９４を有している。袖部台輪９１の上横片９１ｂは袖部下枠７の室外側下面にビス止めした袖部アタッチメント９５に当接し、かつ内向鉤片５２に袖部定形シール材９６を介して圧接している。
【００３３】
前記前部台輪９２の上横片９２ｂは、図１１に示すように前部下枠９の内向鉤片３２に前部定形シール材９７を介して圧接している。前記前部下枠９の室外側下面に前部アタッチメント９８がビス止めされ、この前部アタッチメント９８の外向凹部９９に前記内向鉤片３２と上横片９２ｂが嵌合している。
【００３４】
このようであるから、前述した水切部材２０を備えた出窓に台輪９０を取付けできる。
【００３５】
図１１に示すように、窓台１６の室外側面に台輪水切部材１００が前記水切部材２０と連続して取付けてある。
この台輪水切部材１００は板状の縦部１０１と板状の下横部１０２でＬ字形状で、その下横部１０２の先端部に水切片１０３が一体的に設けてある。縦部１０１に上向凹部１０４が形成してある。
この上向凹部１０４は前記袖部台輪９１、前部台輪９２の上向凹部９４と略同一高さで、この各上向凹部９４，１０４に横板１０５の周縁部が係合して連結してある。この横板１０５が台輪９０の底板となっている。
【００３６】
図１２に示すように、台輪水切部材１００は上向凹部１０４を形成する鉤片１０６の長手方向両端部を袖部台輪９１の見込み寸法相当長さだけ切欠きし、一対の袖部台輪９１の長手方向一端面９１ｃを縦部１０１の室外側面１０１ａに接して連結してある。
前部定形シール材９７と一対の袖部定形シール材９６は連続し、一対の袖部定形シール材９６は台輪１００の縦部１０１まで連続している。
【００３７】
前記水切部材２０の下横部３４は袖部下枠７、前部下枠９の内向鉤片３２，５２と同一高さで、その水切片３８は内向鉤片３２，５２よりも下方に突出しているから、その水切片３８は前記袖部定形シール材９６よりも下方に突出している。
この水切部材２０の水切片３８と台輪水切部材１００の水切片１０３は建物躯体からの面外方向の位置が同一であると共に、水切部材２０と台輪水切部材１００は同一長さである。
このために、水切部材２０の水切片３８が一対の袖部定形シール材９６と干渉して袖部定形シール材９６が不連続となる恐れがあるが、図８に示すように水切部材２０の水切片３８の長手方向両端部が切欠きされているので、その水切片３８が袖部定形シール材９６と干渉することがなく、袖部定形シール材９６が連続する。
つまり、前記水切部材２０の水切片３８の切欠き長さは袖部台輪９１の上横片９１ｂの見込み寸法よりも若干長い寸法で、その端面３８ａが図７に示すように袖部下枠７の見込み方向中間に位置する。
【００３８】
このようであるから、袖部台輪９１、前部台輪９２を袖部下枠７、前部下枠９に水密して取付けできる。
【００３９】
以上のようであるから、水切部材２０と底板８０を備えた出窓を標準の出窓とし、出窓を取付ける建物施主の希望に合せて台輪付き出窓とすることができる。
つまり、従来は水切部材２０と底板８０を備えた出窓と台輪と台輪水切部材を備えた出窓（例えば特開平１０−３７６０１号公報に示す出窓）を別々に製作準備していた。
【００４０】
【発明の効果】
請求項１に係る発明によれば、地板支持金具と地板室内側下部が係合連結していることで、地板の室内側部の持ち上りを防止できる。
しかも、水切部材は、その躯体取付横片が窓開口部の下縁上面に固着されるし、地板支持金具は窓開口部の下縁上面に固着されるので、その地板支持金具は強固に固着され、地板の室内側部の持ち上りを確実に防止できる。
また、水切部材の縦部における躯体取付片よりも上部の室内側面に地板支持金具を固着具で固着しただけであり、水切部材を切欠き加工等する必要がない。
また、水切部材の縦部における室外側面上部に補強ブラケットを取付け、その補強ブラケットが窓部の前部下枠に連結されているから、窓部の垂れ下りを防止できるし、その補強ブラケットを特別な形状とする必要がない。
【図面の簡単な説明】
【図１】出窓の正面図である。
【図２】出窓の分解斜視図である。
【図３】出窓の前部下部の縦断面図である。
【図４】地板支持金具の取付部の平面図である。
【図５】水切部材と補強ブラケットと地板支持金具の分解斜視図である。
【図６】出窓袖部下部の縦断面図である。
【図７】出窓の窓本体下部の建物躯体取付部の横断面図である。
【図８】水切部材と取付縦枠の分解斜視図である。
【図９】台輪を備えた出窓の正面図である。
【図１０】出窓袖部下部の縦断面図である。
【図１１】出窓前部下部の縦断面図である。
【図１２】台輪の平面図である。
【符号の説明】
２…屋根部
３…窓部
７…袖部下枠
９…前部下枠
１２…窓枠体
１７…窓開口部
２０…水切部材
２１…補強ブラケット
２２…地板支持金具
２３…地板
３３…縦部
３４…下横部
３５…躯体取付横片
９０…台輪
【図１】
0003616911.tif 000002
【図２】
0003616911.tif 000003
【図３】
0003616911.tif 000004
【図４】
0003616911.tif 000005
【図５】
0003616911.tif 000006
【図６】
0003616911.tif 000007
【図７】
0003616911.tif 000008
【図８】
0003616911.tif 000009
【図９】
0003616911.tif 000010
【図１０】
0003616911.tif 000011
【図１１】
0003616911.tif 000012
【図１２】
0003616911.tif 000013